(57)【要約】【課題】  伸び量が大きいケーブルであっても端部付近のみの張力を解放できるようにする。【解決手段】  対象ケーブル２の端部寄り所要個所の外周面にエポキシ樹脂を塗り固めてなる摩擦力向上兼ケーブル保護部材５を取り付け、その外周に配置したフレーム部材６のケーブル挿通孔７内面のテーパー面１０との間に、くさび部材１１を尖端側より差し込んで、ケーブル端部側への変位を阻止できるようにしたグリッピングクランプ装置３を形成する。グリッピングクランプ装置３よりもケーブル端部より離反する側の対象ケーブル２の外周に取り付けたフッキングクランプ装置４と、対象ケーブル２の端部の定着点付近に設けた仮定着点との間に、引き込みジャッキを備えた引き込み機構を接続する。引き込みジャッキによりフッキングクランプ装置４を引き込むことで、グリッピングクランプ装置３よりも定着点寄りの対象ケーブル２の端部の張力を解放させる。【選択図】図１
2010223352.tif 000002
【特許請求の範囲】
【請求項１】
ケーブルの端部寄りの所要個所に、該ケーブル端部寄り方向への変位を阻止できるようにしたグリッピングクランプ装置とフッキングクランプ装置とを備えるケーブルクランプ装置を取り付け、次いで、上記ケーブルの端部の定着点の近傍位置に設けた仮定着点と、上記フッキングクランプ装置との間に、引き込みジャッキを備えた引き込み機構を接続し、しかる後、上記引き込みジャッキの作動により上記仮定着点に反力を受けた状態で上記ケーブルに取り付けたフッキングクランプ装置を引き込むことで、該フッキングクランプ装置が係止される上記グリッピングクランプ装置取付位置よりも定着点寄りに位置するケーブルの端部の張力を解放させるようにすることを特徴とするケーブルの端部張力解放方法。
【請求項２】
ケーブルの端部寄りの所要個所の外周面に、該ケーブルの凹凸に入り込む樹脂製の摩擦力向上兼ケーブル保護部材を取り付け、更に、該摩擦力向上兼ケーブル保護部材を外周側より拘束してケーブル端部寄り方向への変位を阻止できるようにしたグリッピングクランプ装置を設け、且つ該グリッピングクランプ装置の取付位置よりもケーブル端部から離反する側のケーブル外周にフッキングクランプ装置を取り付けてなり、ケーブル端部の張力解放時にケーブルに取り付けて用いるようにした構成を有することを特徴とするケーブルクランプ装置。
【請求項３】
摩擦力向上兼ケーブル保護部材を、ケーブルの外周面に塗り固めた樹脂からなる構成とした請求項２記載のケーブルクランプ装置。
【請求項４】
摩擦力向上兼ケーブル保護部材の樹脂としてエポキシ樹脂を用いるようにした請求項３記載のケーブルクランプ装置。
【請求項５】
グリッピングクランプ装置を、一端側開口部から他端側開口部へ向けて徐々に縮径するテーパー面を備えたケーブル挿通孔を有するフレーム部材をケーブルにおける摩擦力向上兼ケーブル保護部材の取付個所の外周に上記一端側開口部がケーブル端部寄りとなる姿勢で配置し、更に、上記摩擦力向上兼ケーブル保護部材の外周面と、上記フレーム部材のケーブル挿通孔のテーパー面との隙間に、くさび部材を差し込んでなる構成とした請求項２、３又は４記載のケーブルクランプ装置。
【発明の詳細な説明】
【技術分野】
【０００１】
本発明は、吊橋のハンガーケーブルのような張力が作用しているケーブルの端部を定着点から取外しが可能となるように該ケーブルの端部に作用している張力を解放させるために用いるケーブルの端部張力解放方法及び該方法に用いるワイヤークランプ装置に関するものである。
【背景技術】
【０００２】
吊橋は、図１０にその一例の概略を示す如く、一対の主塔ａにメインケーブルｂを張り渡し、該メインケーブルｂより垂下させた多数のハンガーケーブルｃにより桁ｄを支持する構成としてある。
【０００３】
ところで、経年変化や不測の事態により上記吊橋のハンガーケーブルｃの端部の定着点に疲労や損傷が生じた場合は、該ハンガーケーブルｃの端部を、その定着点より取り外して、定着点の補修を行う必要が生じる。
【０００４】
しかし、上記ハンガーケーブルｃは、桁ｄの荷重による張力が作用している状態では該ハンガーケーブルｃの端部をその定着点より取り外すことはできないため、該ハンガーケーブルｃの端部をその定着点より取り外すためには、予め、上記ハンガーケーブルｃに作用している張力を抜かなければならない。
【０００５】
なお、ワイヤーロープ（ストランドロープ）の途中位置をクランプするためのワイヤークランプ装置としては、たとえば、シリンダ内にその内周面から径方向に窪む環状の収容部を形成し、該収容部に、周方向に沿い二分割されて径方向に収縮及び拡開可能に構成したチャックを収容保持し、そのチャック外側に筒状パッキンを嵌着して同パッキンと外周と収容部壁面との間に油圧ポンプと連絡する油室を形成し、チャック内側には、主方向に沿い４分割したコレットを軸線方向の移動を規制し、且つ周方向及び径方向に移動自在となして着脱自在に取り付けると共に、該コレットはその内周面にワイヤーの捩り条面と当接する捩じり条溝を形成したワイヤークランプ装置が提案されている（たとえば、特許文献１参照）。
【０００６】
又、ワイヤーロープの途中位置をクランプして送り込み（引き込みや押し込み）を行うためのワイヤークランプ装置として、円錐台形として外面がテーパー形状としてあり、軸心部にワイヤーロープを挿通させるための挿通孔を備え、且つ周方向に４分割されたコレット単位体からなるワイヤーコレットと、該ワイヤーコレットのテーパー形状に対応するテーパーシリンダを備え、更に、上記各コレット単位体の内周面に、ワイヤーロープの外周に現れる縒り模様と一致する滑り止め用の螺旋溝を設けてなる構成を有するワイヤークランプ装置が従来提案されている（たとえば、特許文献２参照）。
【先行技術文献】
【特許文献】
【０００７】
【特許文献１】実公平７−２４１８６号公報
【特許文献２】特開２００６−１２５５６３号公報
【発明の概要】
【発明が解決しようとする課題】
【０００８】
ところが、上記吊橋のハンガーケーブルｃは、大きな張力が作用しているために伸びが生じているが、長大な吊橋ではケーブル長が１００ｍにも達するハンガーケーブルｃが用いられていることがあり、このような長さの長いハンガーケーブルｃでは、張力が作用している状態での伸び量が数十センチメートルにもなっていることがある。したがって、このような伸び量の大きいハンガーケーブルｃについて全体の張力を抜くためには、該ハンガーケーブルｃの定着点の位置を、ハンガーケーブルｃの張力が作用していない状態での長さ寸法と対応する位置まで、すなわち、上記ハンガーケーブルの張力による伸び量に応じた寸法分、大きく変位させる必要があるが、上記吊橋におけるハンガーケーブルｃの上端側の定着点であるメインケーブルｂと、下端側の定着点である桁ｄの相対位置を動かすことは非常に困難なため、上記ハンガーケーブルｃの全体の張力を抜くことは現実的ではない。
【０００９】
そこで、本発明者等は、上記吊橋のハンガーケーブルｃのように大きな張力が作用しており、且つ張力による伸び量が大きいケーブルであっても、該ケーブルの全長をあまり変化させずにケーブル端部付近のみの張力を抜くことができれば、該ケーブルの端部を、その定着点から取外すことが可能になることを見出したが、このようなケーブルの端部付近について、作用している張力を効率よく且つ確実に抜くための手法は、従来、特に提案されていないというのが実状である。
【００１０】
ところで、ケーブル（ワイヤーロープ）の途中位置をクランプする場合の手法としては、一般的には、所要のクランプ手段により該ケーブルを外周側より締め付けてクランプする手法が考えられるが、通常、ケーブルは多数の素線からなる構成としてあるため、その表面には凹凸が多い。そのために、上記クランプ手段におけるワイヤーケーブルと接触する面が、ケーブルの長手方向に平坦な面となっている場合は、ワイヤーケーブルとの接触面積をあまり大きくすることができないことから、摩擦が作用する面積が小さくて、上記ハンガーケーブルｃのような大きな張力が作用しているケーブルの途中位置をクランプしようとしても、クランプ手段がケーブル長手方向に滑る虞が懸念される。
【００１１】
なお、ケーブルに作用している大きな張力に対抗してクランプ手段のケーブル長手方向に対する滑りを抑えるための対策としては、クランプ手段におけるケーブルとの接触面に、ケーブル長手方向と直交する方向の凹凸を設ける手法や、該ケーブルに対するクランプ手段の締め付け力を強くすることで、ケーブルの外形を部分的に変形させることで、ケーブル長手方向に対するクランプ手段の変位を抑える手法が考えられるが、これらの手法では、クランプ手段によってケーブルに傷が付く虞が生じることから、上記吊橋のハンガーケーブルｃのような定着点の補修後に再使用することが前提となるケーブルには適用できない。
【００１２】
上記特許文献１、特許文献２に示したものでは、ワイヤーロープ（ケーブル）の途中位置をクランプするために、クランプ対象となるワイヤーロープの外周に、該ワイヤーロープの外周面の捩りや縒りの模様と一致する螺旋状の溝を備えてなる周方向に複数分割されたコレットを配置して、該コレットの外周側よりワイヤーロープ中心方向へ締め付ける力を加えることで該ワイヤーロープをクランプするようにしてあるため、ワイヤーロープとコレットとの間の接触面積を拡大することができると共に、締め付け力を大きくしても、上記ワイヤーロープに傷が付く虞を低減できると考えられる。
【００１３】
しかし、この手法を実施する場合は、ワイヤーロープの外周面の捩りや縒りの模様と、使用するコレットの内周面の螺旋状の溝の形状がずれていると、かえってワイヤーロープに傷を付ける虞が生じることから、外周面の捩りや縒りの模様が異なるワイヤーロープをクランプ対象とする場合は、その都度、クランプ対象とするワイヤーロープの外周面の捩りや縒りの模様に応じた形状の螺旋状の溝を有するコレットを用意しなければならないという問題がある。したがって、既設の吊橋のハンガーケーブルをクランプ対象とする場合は、予め、現地でハンガーケーブルの外周面の形状を事前調査して、その外周面の捩りや縒りの模様に対応する螺旋状の溝を備えたコレットを用意しておく必要があることから、作業が非常に煩雑になると共に、コストが嵩むという問題がある。
【００１４】
そこで、本発明は、吊橋のハンガーケーブルのように大きな張力が作用していて伸び量が大きいケーブルであっても、該ケーブルに傷を付けることなくその端部付近のみの張力を抜くことができて、該ケーブルの端部を、その定着点より取り外すことを可能にするために用いるケーブルの端部張力解放方法、及び、該方法の実施に用いるケーブルクランプ装置を提供しようとするものである。
【課題を解決するための手段】
【００１５】
本発明は、上記課題を解決するために、請求項１に対応して、ケーブルの端部寄りの所要個所に、該ケーブル端部寄り方向への変位を阻止できるようにしたグリッピングクランプ装置とフッキングクランプ装置とを備えるケーブルクランプ装置を取り付け、次いで、上記ケーブルの端部の定着点の近傍位置に設けた仮定着点と、上記フッキングクランプ装置との間に、引き込みジャッキを備えた引き込み機構を接続し、しかる後、上記引き込みジャッキの作動により上記仮定着点に反力を受けた状態で上記ケーブルに取り付けたフッキングクランプ装置を引き込むことで、該フッキングクランプ装置が係止される上記グリッピングクランプ装置取付位置よりも定着点寄りに位置するケーブルの端部の張力を解放させるようにするケーブルの端部張力解放方法とする。
【００１６】
又、請求項２に対応して、ケーブルの端部寄りの所要個所の外周面に、該ケーブルの凹凸に入り込む樹脂製の摩擦力向上兼ケーブル保護部材を取り付け、更に、該摩擦力向上兼ケーブル保護部材を外周側より拘束してケーブル端部寄り方向への変位を阻止できるようにしたグリッピングクランプ装置を設け、且つ該グリッピングクランプ装置の取付位置よりもケーブル端部から離反する側のケーブル外周にフッキングクランプ装置を取り付けてなり、ケーブル端部の張力解放時にケーブルに取り付けて用いるようにした構成を有するケーブルクランプ装置とする。
【００１７】
更に、上記構成において、摩擦力向上兼ケーブル保護部材を、ケーブルの外周面に塗り固めた樹脂からなる構成とした構成とする。
【００１８】
更に又、上記構成において、摩擦力向上兼ケーブル保護部材の樹脂としてエポキシ樹脂を用いるようにした構成とする。
【００１９】
上述の各構成におけるグリッピングクランプ装置を、一端側開口部から他端側開口部へ向けて徐々に縮径するテーパー面を備えたケーブル挿通孔を有するフレーム部材をケーブルにおける摩擦力向上兼ケーブル保護部材の取付個所の外周に上記一端側開口部がケーブル端部寄りとなる姿勢で配置し、更に、上記摩擦力向上兼ケーブル保護部材の外周面と、上記フレーム部材のケーブル挿通孔のテーパー面との隙間に、くさび部材を差し込んでなる構成とする。
【発明の効果】
【００２０】
本発明によれば、以下のような優れた効果を発揮する。  
（１）ケーブルの端部寄りの所要個所に、該ケーブル端部寄り方向への変位を阻止できるようにしたグリッピングクランプ装置とフッキングクランプ装置とを備えるケーブルクランプ装置を取り付け、次いで、上記ケーブルの端部の定着点の近傍位置に設けた仮定着点と、上記フッキングクランプ装置との間に、引き込みジャッキを備えた引き込み機構を接続し、しかる後、上記引き込みジャッキの作動により上記仮定着点に反力を受けた状態で上記ケーブルに取り付けたフッキングクランプ装置を引き込むことで、該フッキングクランプ装置が係止される上記グリッピングクランプ装置取付位置よりも定着点寄りに位置するケーブルの端部の張力を解放させるようにするケーブルの端部張力解放方法としてあるので、大きな張力が作用していて伸び量が大きなケーブルであっても、該ケーブルにおける端部寄りのグリッピングクランプ装置でクランプした所要個所よりも端部寄りの部分の張力を抜くことができる。  
（２）ケーブルの端部寄りの所要個所の外周面に、該ケーブルの凹凸に入り込む樹脂製の摩擦力向上兼ケーブル保護部材を取り付け、更に、該摩擦力向上兼ケーブル保護部材を外周側より拘束してケーブル端部寄り方向への変位を阻止できるようにしたグリッピングクランプ装置を設け、且つ該グリッピングクランプ装置の取付位置よりもケーブル端部から離反する側のケーブル外周にフッキングクランプ装置を取り付けてなり、ケーブル端部の張力解放時にケーブルに取り付けて用いるようにした構成を有するケーブルクランプ装置とすることにより、上記（１）の方法を実施するためのケーブルクランプ装置を実現できる。  
（３）上記グリッピングクランプ装置は、ケーブルの外周面に該外周面に存在する凹凸に入り込むことでケーブル長手方向の変位が拘束される樹脂製の摩擦力向上兼ケーブル保護部材を介して外周側よりケーブルを拘束するようにしてあるため、拘束力を大きくしても上記ケーブルに傷が付く虞を未然に防止することができる。よって、上記ケーブルを再使用する場合に適したものとすることができる。  
（４）しかも、ケーブルの端部寄りの所要個所の外周面に摩擦力向上兼ケーブル保護部材を新たに設けるようにしてあるため、既設のケーブル径に張力により多少のばらつきが生じている場合であっても、上記グリッピングクランプ装置で拘束する個所の外径を、該グリッピングクランプ装置による拘束に適した径とすることができる。このため、上記グリッピングクランプ装置によるケーブルの端部寄りの所要個所の拘束を容易に且つ確実に行なわせることができる。  
（５）摩擦力向上兼ケーブル保護部材を、ケーブルの外周面に塗り固めた樹脂からなる構成とした構成とすることにより、上記摩擦力向上兼ケーブル保護部材の内側に、上記ケーブルの外周面の凹凸の形状に一致する内面を確実に且つ正確に形成できるため、該摩擦力向上兼ケーブル保護部材をケーブルの長手方向の変位をより確実に防ぐことができる。  
（６）摩擦力向上兼ケーブル保護部材の樹脂としてエポキシ樹脂を用いるようにした構成とすることにより、上記摩擦力向上兼ケーブル保護部材を強度の大きいものとすることができると共に、ケーブルの端部張力を解放する作業が終了した後は、エポキシ樹脂をハンマー等で叩いて割ることで、ケーブルの外周面より容易に撤去することができる。  
（７）グリッピングクランプ装置を、一端側開口部から他端側開口部へ向けて徐々に縮径するテーパー面を備えたケーブル挿通孔を有するフレーム部材をケーブルにおける摩擦力向上兼ケーブル保護部材の取付個所の外周に上記一端側開口部がケーブル端部寄りとなる姿勢で配置し、更に、上記摩擦力向上兼ケーブル保護部材の外周面と、上記フレーム部材のケーブル挿通孔のテーパー面との隙間に、くさび部材を差し込んでなる構成とすることにより、上記フレーム部材のテーパー面に接する上記くさび部材のくさび効果により、該くさび部材によってケーブルにおける摩擦力向上兼ケーブル保護部材の取付個所に、外周より大きな拘束力を容易に作用させることができる。よって、上記グリッピングクランプ装置のケーブル端部側への変位抑止効果をより高めるのに有利な構成とすることができる。
【図面の簡単な説明】
【００２１】
【図１】本発明のケーブルの端部張力解放方法の実施に用いる本発明のケーブルクランプ装置の実施の一形態を示す一部切断概略正面図である。
【図２】図１のケーブルクランプ装置のグリッピングクランプ装置におけるフレーム部材を示すもので、（イ）は概略切断側面図、（ロ）は（イ）のＡ−Ａ方向矢視図、（ハ）は（イ）のＢ−Ｂ方向矢視図である。
【図３】図１のケーブルクランプ装置のグリッピングクランプ装置におけるくさび部材を示すもので、（イ）は概略側面図、（ロ）は（イ）のＣ−Ｃ方向矢視図である。
【図４】図１のケーブルクランプ装置のフッキングクランプ装置を示す一部切断概略平面図である。
【図５】本発明の実施の他の形態として、図１のケーブルクランプ装置を用いて実施する本発明のケーブルの端部張力解放方法のフロー図である。
【図６】図５のケーブルの端部張力解放方法を実施する装置構成例図である。
【図７】本発明の実施の更に他の形態として、図１のケーブルクランプ装置のグリッピングクランプ装置におけるくさび部材の別の例を示す概略側面図である。
【図８】本発明の実施の更に他の形態として、図１のケーブルクランプ装置の応用例を示す概略正面図である
【図９】図８のケーブルクランプ装置のグリッピングクランプ装置を示す概略切断側面図である。
【図１０】吊橋の構成の一例の概略を示す斜視図である。
【発明を実施するための形態】
【００２２】
以下、本発明を実施するための形態を図面を参照して説明する。
【００２３】
図１乃至図４は本発明のケーブル端部張力解放方法の実施に用いるケーブルクランプ装置の実施の一形態を示すもので、以下のようにしてある。
【００２４】
すなわち、本発明のケーブルクランプ装置１は、端部張力を解放する作業の対象となる対象ケーブル２の端部寄りの途中位置の外周にケーブル長手方向に変位しないよう取り付けるためのグリッピングクランプ装置３と、上記対象ケーブル２の長手方向における上記グリッピングクランプ装置３の取付位置よりもケーブル端部から離反する側のケーブル外周に取り付けるフッキングクランプ装置４とからなる構成としてある。
【００２５】
更に、上記グリッピングクランプ装置３は、対象ケーブル２の外周面に取外し可能に取り付ける摩擦力向上兼ケーブル保護部材５と、上記対象ケーブル２を挿通させるためのケーブル挿通孔７を有し且つ該ケーブル挿通孔７の内面を、ケーブル端部寄りに配置する軸心方向の一端側開口部８側からケーブル端部より離反する側に配置する他端側開口部９側に向けて徐々に縮径するテーパー面１０としてなる構成として、上記対象ケーブル２に取り付けた摩擦力向上兼ケーブル保護部材５の外周位置に配置するフレーム部材６と、上記対象ケーブル２の外周面に取り付けた摩擦力向上兼ケーブル保護部材５の外周面と上記フレーム部材６のケーブル挿通孔７のテーパー面１０との間に形成される隙間に、該ケーブル挿通孔７の一端側開口部８側から差し入れる複数のくさび部材１１とからなる構成としてある。
【００２６】
更に、上記フッキングクランプ装置４は、上記対象ケーブル２を挿通させるための該対象ケーブル２の外径よりもやや大きな径のケーブル挿通孔１２を備えると共に、上記ケーブル挿通孔１２を中心とする周方向等間隔の複数個所、たとえば、ケーブル挿通孔１２を中心とする１８０度対向する２個所に、後述するケーブル端部張力解放方法の実施の際に引き込みジャッキ１４を介して仮定着点と接続するためのアイ１３を備えた構成としてある。
【００２７】
詳述すると、上記グリッピングクランプ装置３の摩擦力向上兼ケーブル保護部材５は、  図１に示すように、上記対象ケーブル２の外周面の所定個所に、周方向の全面に亘りエポキシ樹脂を塗り固めることで形成するようにしてある。又、上記摩擦力向上兼ケーブル保護部材５の外形は、上記対象ケーブル２の外径よりもやや太い外径寸法で、上記対象ケーブル２の長手方向に沿って上記フレーム部材６のケーブル挿通孔７の軸心方向に沿う寸法よりも所要寸法長い範囲に亘って延びる円筒形状となるようにしてある。これにより、上記エポキシ樹脂を上記対象ケーブル２の外周面に存在する凹凸に入り込ませた状態で固化させることで、上記対象ケーブル２の外周面の凹凸形状に沿う形状を備えた摩擦力向上兼ケーブル保護部材５を形成できるようにしてある。又、上記対象ケーブル２の外周面を上記摩擦力向上兼ケーブル保護部材５で覆うことで、摩擦力向上兼ケーブル保護部材５の外周に配置される上記くさび部材１１が上記対象ケーブル２の外周面に直接接触しないようにして、該くさび部材１１を上記対象ケーブル２の中心方向へ押し付けて強い拘束力を作用させても、上記対象ケーブル２の外周面に傷が付く虞を未然に防止できるようにしてある。しかも、上記対象ケーブル２の外周面の所定個所に上記摩擦力向上兼ケーブル保護部材５を新たに設ける際、該摩擦力向上兼ケーブル保護部材５の外径寸法を、上記対象ケーブル２の外径（ケーブル径）に依存することなく設定することが可能なため、既設の対象ケーブル２の外径に張力により多少のばらつきが生じている場合であっても、該対象ケーブル２の外周面の所定個所に設ける上記摩擦力向上兼ケーブル保護部材５の外径寸法を、グリッピングクランプ装置３のフレーム部材６におけるケーブル挿通孔７のテーパー面１０の内径とその内側に配置する各くさび部材１１の内外方向の厚み寸法によって定まる該グリッピングクランプ装置３の取り付けに適した寸法に調整することができ、よって、グリッピングクランプ装置３の上記対象ケーブル２の所定個所への取り付けを容易に且つ確実に行なわせることができるようにしてある。更に、上記摩擦力向上兼ケーブル保護部材５は、ケーブルの端部張力解放作業が終了した後は、ハンマー等で叩くことによって、上記固化したエポキシ樹脂を割ることで、上記対象ケーブル２の外周面より容易に撤去可能となるようにしてある。
【００２８】
上記フレーム部材６は、図２（イ）（ロ）（ハ）に示すように、ケーブル挿通孔７の軸心位置に沿う分割面で左右に２分割した２つのフレーム分割体１５ａと１５ｂからなる分割構造としてある。上記各フレーム分割体１５ａ，１５ｂには、上記ケーブル挿通孔７と干渉しない個所で且つ該各フレーム分割体１５ａと１５ｂ同士で互いに対応する複数個所、たとえば、６個所に、上記分割面と直交する方向に延びるボルト孔１６を穿設してなる構成としてあり、上記左右の各フレーム分割体１５ａ，１５ｂを、対象ケーブル２の外周面に取り付けてある上記摩擦力向上兼ケーブル保護部材５の左右両側から、該摩擦力向上兼ケーブル保護部材５がケーブル挿通孔７の内側に収まるようにした状態で、分割面同士を合わせて配置し、この状態で、該各フレーム分割体１５ａ，１５ｂの各ボルト孔１６に連結ボルト１７を挿通させると共に、該連結ボルト１７の両端部に螺着させたナット１８により上記両フレーム分割体１５ａ，１５ｂを外側から拘束することで、上記フレーム部材６を、上記対象ケーブル２の途中位置の外周に配置することができるようにしてある。
【００２９】
なお、上記したように上記各フレーム分割体１５ａ，１５ｂの分割面同士を合わせる作業を行う際の位置合わせを容易なものとするために、上記各フレーム分割体１５ａ，１５ｂのうちの一方のフレーム分割体１５ａの分割面側に係合用凹部１９を設けると共に、他方のフレーム分割体１５ｂの分割面側に、上記一方のフレーム分割体１５ａの係合用凹部１９に嵌合可能な係合用凸部２０を設けた構成とすることが望ましい。
【００３０】
上記くさび部材１１は、図３（イ）（ロ）に示すように、外側に、上記フレーム部材６のケーブル挿通孔７のテーパー面１０に対応する円錐台面を周方向に４分割したテーパー面１１ａを備えると共に、内側に、上記摩擦力向上兼ケーブル保護部材５の外周面に沿う湾曲面１１ｂを備えた形状として、上記摩擦力向上兼ケーブル保護部材５とその外周に配置した上記フレーム部材６のケーブル挿通孔７のテーパー面１０との間に形成される隙間に、周方向に４本差し込むことができるようにしてある。
【００３１】
更に、上記各くさび部材１１には、ハンドリング性を向上させるために、テーパー形状の尖端側とは反対側の端部に、棒状のハンドル２１を一体に設けた構成としてある。
【００３２】
上記フッキングクランプ装置４は、図１及び図４に示す如く、ケーブル挿通孔１２の軸心位置に沿う分割面で２分割した２つの分割フレーム２２ａ，２２ｂを備え、該各分割フレーム２２ａ，２２ｂにおける反分割面側にアイ１３がそれぞれ設けてある。
【００３３】
更に、上記各分割フレーム２２ａ，２２ｂには、上記ケーブル挿通孔１２と干渉しない個所で且つ該各分割フレーム２２ａと２２ｂ同士で互いに対応する複数個所、たとえば、６個所に、上記分割面と直交する方向に延びるボルト孔２３を穿設してなる構成としてあり、これにより、上記左右の各分割フレーム２２ａ，２２ｂを、対象ケーブル２の左右両側から、該対象ケーブル２がケーブル挿通孔１２の内側に収まるようにした状態で、分割面同士を合わせて配置し、この状態で、該各分割フレーム２２ａ，２２ｂの各ボルト孔２３に連結ボルト２４を挿通させると共に、該連結ボルト２４とその先端側に螺着させたナット２５により上記両分割フレーム２２ａ，２２ｂを外側から拘束することで、上記フッキングクランプ装置４を、上記対象ケーブル２の途中位置の外周に取り付けることができるようにしてある。
【００３４】
以上の構成としてある本発明のケーブルクランプ装置１によれば、対象ケーブル２の端部寄りの途中の所定位置の外周面に、上記摩擦力向上兼ケーブル保護部材５を取り付け、更に、該摩擦力向上兼ケーブル保護部材５の外周位置で、上記各フレーム分割体１５ａ，１５ｂを組み立てることで、フレーム部材６を上記摩擦力向上兼ケーブル保護部材５の外周に、一端側開口部８が対象ケーブル２の端部側に臨むように配置し、この状態で、該フレーム部材６の一端側開口部８より、上記摩擦力向上兼ケーブル保護部材５の外周面と、上記フレーム部材６のケーブル挿通孔７のテーパー面１０との間の隙間の周方向４個所に、ハンドル２１を保持した上記くさび部材１１を、テーパー形状の尖端側からそれぞれ差し込み、更に、図示しないハンマー等を用いて上記各ハンドル２１を介して各くさび部材１１を上記隙間に打ち込むことで、上記グリッピング装置を組み立てると共に、上記フレーム部材６のケーブル挿通孔７のテーパー面１０に、上記各くさび部材１１のテーパー面１１ａが沿うことで該各くさび部材１１に生じるくさび効果によって、該各くさび部材１１を、外周側から強い力で拘束して上記対象ケーブル２の外周面に設けてある上記摩擦力向上兼ケーブル保護部材５に外側から強い力で押し付ける。これにより、上記対象ケーブル２の外周面に取り付けてある摩擦力向上兼ケーブル保護部材５は、硬化したエポキシ樹脂が上記対象ケーブル２の外周面に存在する凹凸に入り込んで密着した状態で外周側より拘束されることで、上記対象ケーブル２の端部寄り方向への相対変位が阻止される。又、上記各くさび部材１１は、その内周面が上記エポキシ樹脂製としてある摩擦力向上兼ケーブル保護部材５に押し付けられることで該摩擦力向上兼ケーブル保護部材５に対して広い接触面積が確保され、更には、各くさび部材１１の内側の湾曲面１１ｂの形状と、摩擦力向上兼ケーブル保護部材５の外周面の形状に多少差が生じていても、該各くさび部材１１が上記摩擦力向上兼ケーブル保護部材５の外周面に食い込むことで密着状態が確実に得られるため、該各くさび部材１１は、上記摩擦力向上兼ケーブル保護部材５に対し、対象ケーブル２の端部寄り方向への相対変位が阻止される。更に、上記フレーム部材６は、ケーブル挿通孔７に設けてあるテーパー面１０が、上記各くさび部材１１の外側のテーパー面１１ａに係止されることで、該各くさび部材１１に対し、対象ケーブル２の端部寄り方向への相対変位が阻止される。よって、上記グリッピングクランプ装置３のフレーム部材６の上記ケーブル挿通孔７に挿通させた対象ケーブルの端部寄り方向への変位が阻止できるようになる。
【００３５】
よって、この状態で、上記グリッピングクランプ装置３よりもケーブル端部より離反する側で、上記各分割フレーム２２ａ，２２ｂを組み立てて、該グリッピングクランプ装置３よりもケーブル端部より離反する側の対象ケーブル２の外周に上記フッキングクランプ装置４を配置して、本発明のケーブルクランプ装置１を形成すると、上記フッキングクランプ装置４に対象ケーブル２のケーブル端部側へ引き込む力を加えても、該フッキングクランプ装置４のケーブル端部側への移動が、上記グリッピングクランプ装置３により確実に阻止されるようになる。
【００３６】
次に、図５及び図６は、上記図１乃至図４に示した本発明のケーブルクランプ装置１を用いて実施する本発明のケーブルの端部張力解放方法の実施の一形態として、吊橋のハンガーケーブルの下端部の定着点であるハンガープレートの取替え作業に適用する場合の例を示すもので、図５は作業手順のフロー図であり、又、図６は本発明のケーブルの端部張力解放方法の実施に用いる装置構成を示してある。
【００３７】
すなわち、本発明のケーブルの端部張力解放方法を実施する場合は、先ず、吊橋のハンガーケーブルを対象ケーブル２として、該対象ケーブル２の下端寄りの途中個所の外周面に、周方向の全面に亘りエポキシ樹脂を塗り固めることで摩擦力向上兼ケーブル保護部材５（図１及び図２（イ）参照）を形成して設ける（ステップ１：Ｓ１）。この際、上記対象ケーブル２がＰＥ被覆等の被覆が施された形式のケーブルの場合は、上記摩擦力向上兼ケーブル保護部材５の取り付け個所の被覆を予め除去しておくようにする。又、上記対象ケーブル２の途中位置にエポキシ樹脂による上記摩擦力向上兼ケーブル保護部材５を形成する場合の具体的な手法としては、たとえば、塩ビ管等の所要径の反割りパイプで該対象ケーブル２を取り囲む型枠を作製して、該型枠内にエポキシ樹脂を注入して固化させ、しかる後、上記型枠を撤去するようにすればよい。
【００３８】
上記のようにして対象ケーブル２の所定個所に上記摩擦力向上兼ケーブル保護部材５を取り付けた後は、前述した本発明のケーブルクランプ装置１の組立手順と同様の手順で、ケーブルクランプ装置１を組み立てて、図６に示すように、上記対象ケーブル２における摩擦力向上兼ケーブル保護部材５の取付個所に、本発明のケーブルクランプ装置１を取り付ける（ステップ２：Ｓ２）。
【００３９】
一方、上記対象ケーブル２への本発明のケーブルクランプ装置１の取り付けとは別に、図６に示すように、吊橋の桁３２において、上記対象ケーブル２の下端部が取り付けてある定着点としての既設のハンガープレート２６の設置個所の近傍で且つ該ハンガープレート２６の設置個所を間に挟んだ２個所に、仮定着点としての仮設ハンガープレート２７をそれぞれ設けておくようにする（ステップ３：Ｓ３）。
【００４０】
上記のようにして、対象ケーブル２の所定個所に対する本発明のケーブルクランプ装置１の取り付けと、仮設ハンガープレート２７の設置が終了すると、図６に示すように、上記本発明のケーブルクランプ装置１におけるフッキングクランプ装置４に設けてある２つのアイ１３と、上記２つの各仮設ハンガープレート２７とを、センタホールジャッキ等の引き込みジャッキ１４を備えた引き込み機構２８、たとえば、所要長さのワイヤーロープ２９、上記引き込みジャッキ１４、連結棒３０を順に備えた引き込み機構２８を介して接続する（ステップ４：Ｓ４）。
【００４１】
その後、上記各引き込み機構２８の引き込みジャッキ１４を作動させて、上記本発明のケーブルクランプ装置１におけるフッキングクランプ装置４を、上記各仮設ハンガープレート２７側へ引き込むようにする。これにより、上記対象ケーブル２における本発明のケーブルクランプ装置１の取付位置よりも端部寄りの部分に作用していた張力が、上記フッキングクランプ装置４と、各仮設ハンガープレート２７に接続してある引き込み機構２８による引き込み力で担保されるようになるため、上記対象ケーブル２における本発明のケーブルクランプ装置１の取付位置よりも端部寄りの部分に作用していた張力が解放されるようになる（ステップ５：Ｓ５）。
【００４２】
上記のようにして上記対象ケーブル２の端部の張力が抜けると、該対象ケーブル２の端部を、本来の定着点であるハンガープレート２６より取外すことができるようになる。
【００４３】
よって、この状態で、上記対象ケーブル２の端部を、既設のハンガープレート２６より取り外してから（ステップ６：Ｓ６）、該既設のハンガープレート２６を撤去し（ステップ７：Ｓ７）、その後、新規のハンガープレート２６の設置を行うようにする（ステップ８）。
【００４４】
上記新規のハンガープレート２６の設置が終了した後は、上記ステップ１（Ｓ１）からステップ６（Ｓ６）までの手順とは逆の手順、すなわち、先ず、上記新設のハンガープレート２６に、上記対象ケーブル２の下端を接続して取り付けた後（ステップ９：Ｓ９）、上記各引き込み機構２８の引き込みジャッキ１４を逆に作動させて、上記対象ケーブル２の所定個所に取り付けてある本発明のケーブルクランプ装置１におけるフッキングクランプ装置４と、上記各仮設ハンガープレート２７と間を繋いでいる引き込み機構２８による張力を徐々に解放することで、上記対象ケーブル２における上記本発明のケーブルクランプ装置１の取付位置よりもケーブル端部寄りの部分に、張力を徐々にかけるようにする（ステップ１０：Ｓ１０）。
【００４５】
上記引き込み機構２８による張力を完全に解放して、上記対象ケーブル２における上記本発明のケーブルクランプ装置１の取付位置よりもケーブル端部寄りの部分に本来の張力が作用させた後は、本発明のケーブルクランプ装置１におけるフッキングクランプ装置４の各アイ１３と、上記各仮設ハンガープレート２７との間に取り付けてある引き込み機構を取り外し（ステップ１１：Ｓ１１）、次いで、上記対象ケーブル２から本発明のケーブルクランプ装置１を取り外し（ステップ１２：Ｓ１２）、しかる後、上記対象ケーブル２の外周面に設けてある摩擦力向上兼ケーブル保護部材５を、ハンマー等で叩いてエポキシ樹脂を割るようにして、該対象ケーブル２の表面より撤去するようにする（ステップ１３：Ｓ１３）。
【００４６】
又、上記ステップ１２（Ｓ１２）における対象ケーブル２からの本発明のケーブルクランプ装置１を取り外しや、ステップ１３（Ｓ１３）における対象ケーブル２からの摩擦力向上兼ケーブル保護部材５の撤去とは別に、上記仮設ハンガープレート２７を撤去して（ステップ１４：Ｓ１４）、ハンガープレートの取替え作業を終了するようにする。
【００４７】
このように、本発明のケーブルの端部張力解放方法によれば、吊橋のハンガーケーブルのように長さが長く、又、大きな張力が作用していて伸び量が大きな対象ケーブル２であっても、その端部寄りの途中位置を本発明のケーブルクランプ装置１を用いて確実にクランプすることができ、該ケーブルクランプ装置１のフッキングクランプ装置４に設けてあるアイ１３と、上記対象ケーブル２の既存の定着点の近傍に設けた仮定着点との間に接続した引き込み機構２８の引き込みジャッキ１４により、上記仮定着点に反力を受けた状態で上記フッキングクランプ装置４を引き込むことで、上記対象ケーブル２における上記本発明のケーブルクランプ装置１取り付け個所よりも端部寄りの部分の張力を抜くことができる。
【００４８】
次いで、図７は本発明の実施の更に他の形態として、図１乃至図４に示した本発明のケーブルクランプ装置１の応用例を示すもので、グリッピングクランプ装置３におけるくさび部材１１の内側の湾曲面１１ｂに、湾曲方向に沿う凹部と凸部を、該湾曲面１１ｂの軸心方向に交互に設けてなる構成としたものである。
【００４９】
かかる構成とすれば、くさび部材１１を摩擦力向上兼ケーブル保護部材５の外周面に押し付けるときに、上記湾曲面１１ｂの凹部と凸部を、上記摩擦力向上兼ケーブル保護部材５の外周面に食い込ませることができるようになるため、該くさび部材１１と、対象ケーブル２の外周面に取り付けてある上記摩擦力向上兼ケーブル保護部材５との間における対象ケーブル２の長手方向に沿う方向の拘束力を高めることができて、本発明のケーブルクランプ装置１におけるグリッピングクランプ装置３によりクランプする対象ケーブル２の拘束力をより大きなものとすることができる。
【００５０】
なお、この場合であっても、上記くさび部材１１の湾曲面に設けてある凹凸は、上記対象ケーブル２の外周面に取り付けてある上記摩擦力向上兼ケーブル保護部材５に食い込むのみであって、上記対象ケーブル２の外周面に直接接触することはないため、該対象ケーブル２に傷が付く虞はない。
【００５１】
図８及び図９は本発明の実施の更に他の形態として、図１乃至図４に示した本発明のケーブルクランプ装置１の変形例を示すもので、図１乃至図４に示したと同様の構成において、グリッピングクランプ装置３を、対象ケーブル２の外周面に取外し可能に取り付ける摩擦力向上兼ケーブル保護部材５と、内面をテーパー面１０としたケーブル挿通孔７を有するフレーム部材６と、くさび部材１１とからなる構成とすることに代えて、対象ケーブル２の外周面に取外し可能に取り付ける摩擦力向上兼ケーブル保護部材５と、該対象ケーブル２における上記摩擦力向上兼ケーブル保護部材５の取り付け個所を、左右一対の挟持部材３２ａ，３２ｂで挟んで拘束することができるようにした構成のグリッピングクランプ装置３Ａとしたものである。
【００５２】
具体的には、上記左右一対の挟持部材３２ａ，３２ｂは、所要の厚み寸法を有する平板形状としてあり、且つ各挟持部材３２ａ，３２ｂで上記対象ケーブル２における上記摩擦力向上兼ケーブル保護部材５の取り付け個所を挟むときに該各挟持部材３２ａ，３２ｂ同士で互いに対向する一面の中央部に、上記対象ケーブル２の外周面に取り付けた摩擦力向上兼ケーブル保護部材５の円筒形状の半分よりもやや小さい径の断面半円形状のケーブル嵌合溝３３が一方向に沿って延びるように設けてある。
【００５３】
更に、上記各挟持部材３２ａ，３２ｂにおける上記ケーブル嵌合溝３３と干渉しない個所で、且つ該各挟持部材３２ａ，３２ｂ同士で互いに対応する多数個所に、上記ケーブル嵌合溝３３を設けた面に直交する方向のボルト孔３４が穿設してある。
【００５４】
以上の構成としてあるグリッピングクランプ装置３Ａによれば、上記各挟持部材３２ａ，３２ｂを、上記対象ケーブル２における上記摩擦力向上兼ケーブル保護部材５の取り付け個所の両側に、該摩擦力向上兼ケーブル保護部材５がケーブル嵌合溝３３の内側に収まるように配置した状態で、該各挟持部材３２ａ，３２ｂの各ボルト孔３４に連結ボルト３５を挿通させると共に、該連結ボルト３５の両端部に螺着させたナット３６により上記両挟持部材３２ａ，３２ｂを外側から拘束することで、上記ケーブル嵌合溝３３の内面を、上記対象ケーブル２の外周面に取り付けてある上記摩擦力向上兼ケーブル保護部材５に外側から強く押し付けることができるようにしてある。
【００５５】
その他の構成は図１及び図４に示したものと同様であり、同一のものには同一の符号が付してある。
【００５６】
これにより、上記摩擦力向上兼ケーブル保護部材５は、硬化したエポキシ樹脂が上記対象ケーブル２の外周面に存在する凹凸に入り込んで密着した状態で外周側より拘束されることで、上記対象ケーブル２の端部寄り方向への相対変位が阻止される。又、上記各挟持部材３２ａ，３２ｂは、ケーブル嵌合溝３３の内面が、上記摩擦力向上兼ケーブル保護部材５に押し付けられて広い接触面積で接するようになり、更には、上記ケーブル嵌合溝３３の断面形状が上記摩擦力向上兼ケーブル保護部材５の円筒形状の半分よりもやや小さい径の半円形状としてあることにより、該各挟持部材３２ａ，３２ｂが、上記エポキシ樹脂製としてある摩擦力向上兼ケーブル保護部材５に多少食い込むようになることで、該各挟持部材３２ａ，３２ｂの上記摩擦力向上兼ケーブル保護部材５に対する対象ケーブル２の端部寄り方向への相対変位が阻止される。
【００５７】
よって、本実施の形態のケーブルクランプ装置１によっても、上記グリッピングクランプ装置３Ａの上記対象ケーブル２の端部寄り方向への変位が阻止できるようになることから、上記グリッピングクランプ装置３Ａよりもケーブル端部より離反する側の対象ケーブル２の外周にフッキングクランプ装置４を配置した状態では、該フッキングクランプ装置４に対象ケーブル２のケーブル端部側へ引き込む力を加えても、該フッキングクランプ装置４のケーブル端部側への移動を、上記グリッピングクランプ装置３Ａにより確実に阻止できるようになる。
【００５８】
なお、本発明は上記実施の形態のみに限定されるものではなく、本発明のケーブルクランプ装置１におけるグリッピングクランプ装置３，３Ａの摩擦力向上兼ケーブル保護部材５は、対象ケーブル２の外周面に流動状態又は柔軟な状態で塗布した後、硬化させることができ、且つ鋼製の対象ケーブルの表面を侵す虞のない樹脂であれば、エポキシ樹脂以外の樹脂を用いるようにしてもよい。又、上記摩擦力向上兼ケーブル保護部材５は、対象ケーブル２の外周面に、該外周面の凹凸に入り込むように樹脂テープを巻きつけることで形成させるようにしてもよい。
【００５９】
対象ケーブル２の外周面に取り付けた摩擦力向上兼ケーブル保護部材５の外周面とフレーム部材６のケーブル挿通孔７のテーパー面１０との間に形成される隙間に、差し込むくさび部材１１の周方向の配置数は、対象ケーブル２の径寸法等に応じて適宜増減してもよい。
【００６０】
本発明のケーブルクランプ装置１におけるフッキングクランプ装置４は、対象ケーブル２に作用している張力と、上記対象ケーブル２の端部の張力を解放するために使用する引き込みジャッキ１４の能力に応じて、引き込みジャッキ１４を備えた引き込み機構２８を接続するためのアイ１３を３つ以上備えた構成としてもよい。
【００６１】
本発明のケーブルの端部張力解放方法を実施する際に、本発明のケーブルクランプ装置１におけるフッキングクランプ装置４のアイ１３と、仮定着点との間に接続する引き込み機構２８は、対象ケーブル２に作用している張力を担保可能な引き込みジャッキ１４を備えていれば、図示した以外のいかなる形式の引き込み機構を採用してもよい。
【００６２】
又、対象ケーブル２の端部に損傷が生じている場合は、図５におけるステップ６（Ｓ６）以降を省略して、ケーブルクランプ装置１と引き込み機構を残置するようにしてもよい。
【００６３】
本発明のケーブルの端部張力解放方法は、端部に作用している張力を解放することが必要とされるケーブルであれば、吊橋のハンガーケーブル以外のいかなるケーブルに適用してもよい。
【００６４】
その他本発明の要旨を逸脱しない範囲内で種々変更を加え得ることは勿論である。
【符号の説明】
【００６５】
２  対象ケーブル（ケーブル）
３，３Ａ  グリッピングクランプ装置
４  フッキングクランプ装置
５  摩擦力向上兼ケーブル保護部材
６  フレーム部材
７  ケーブル挿通孔
８  一端側開口部
９  他端側開口部
１０  テーパー面
１１  くさび部材
１４  引き込みジャッキ
２６  ハンガープレート（定着点）
２７  仮設ハンガープレート（仮定着点）
２８  引き込み機構
【図１】
2010223352.tif 000003
【図２】
2010223352.tif 000004
【図３】
2010223352.tif 000005
【図４】
2010223352.tif 000006
【図５】
2010223352.tif 000007
【図６】
2010223352.tif 000008
【図７】
2010223352.tif 000009
【図８】
2010223352.tif 000010
【図９】
2010223352.tif 000011
【図１０】
2010223352.tif 000012